(57)【要約】【課題】ユーザにエレベータを呼び出すタイミングの自由度を付与し、また、従来技術と同等以上の効果を得られるようにする。【解決手段】遠隔制御システムに、乗りかごが昇降中であるか停止中であるかを判別する判別手段と、前記乗りかごの現在の所在階を特定する特定手段と、前記乗りかごの呼出要求を受信する受信手段と、前記受信手段によって受信された呼出要求に応じて前記乗りかごを呼出階に移動させる移動手段と、自動ドアの開錠の契機となる検知エリアでの物体の変化を検知する検知手段と、前記検知エリアに配置される物体と、遠隔地から送信される自動ドアの開錠指示信号を受信する受信手段と、前記受信手段によって開錠指示信号が受信された場合に前記物体を変化させる制御手段と、を備える。【選択図】図１
2020022332.tif 000002
【特許請求の範囲】
【請求項１】
乗りかごが昇降中であるか停止中であるかを判別する判別手段と、
前記判別手段によって判別された情報を送信する送信手段と、
前記送信手段によって送信された情報に基づく前記乗りかごの呼出要求を受信する受信手段と、
前記受信手段によって受信された呼出要求に応じて前記乗りかごを呼出階に移動させる移動手段と、
を備える遠隔制御システム。
【請求項２】
さらに、前記乗りかごの現在の所在階を特定する特定手段を備え、
前記送信手段は、前記特定手段によって特定された所在階を示す情報も送信する、
請求項１記載の遠隔制御システム。
【請求項３】
前記判別手段は、エレベータ内外いずれかに設けられている表示部を撮像する撮像手段である、請求項１記載の遠隔制御システム。
【請求項４】
前記移動手段は、前記表示部に付帯する呼出を指示する指示手段である、請求項２記載の遠隔制御システム。
【請求項５】
前記撮像手段と前記指示手段とはユニット化されている、請求項４記載の遠隔制御システム。
【請求項６】
前記乗りかご内又はエレベータホールの近傍に人感センサ又はビーコンを備え、前記人感センサ又はビーコンによって人間の到来が検知された場合に前記乗りかごのドアを開状態にする、請求項１記載の遠隔制御システム。
【請求項７】
前記判別手段に対して前記判別を要求する要求手段と、
前記送信手段によって送信された情報を報知する報知手段と、を有する、請求項１記載の遠隔制御システムに用いられる遠隔制御装置。
【発明の詳細な説明】
【技術分野】
【０００１】
本発明は、遠隔制御装置及び遠隔制御システムに関し、特に、マンション、ホテル、デパート、ビルを含む集合住宅などの大規模施設内に設置されているエレベータの呼び出し、当該施設のエントランスなどの出入り口に設置されているドアの開閉などを遠隔で制御する遠隔制御装置及び遠隔制御システムに関する。
【背景技術】
【０００２】
特許文献１には、乗りかごの効率的な運行を妨げることなく、乗りかごを利用したいときの待ち時間を短縮できるエレベータ制御システムが開示されている。このエレベータ制御システムは、昇降路に沿う各階の乗り場の間を移動する乗りかごと、前記乗りかごの呼び登録を受け付ける登録部と、前記登録部により登録された前記呼び登録にしたがって前記乗りかごを前記乗り場に移動させる制御部と、前記乗り場に設けられた第一の表示装置と、を備え、前記登録部は、前記乗り場で乗り込みのために前記乗りかごを呼ぶ第一の呼び登録と、前記乗りかごを指定の時刻に指定の乗り場に呼ぶ予約を行う第二の呼び登録と、を受け付け、前記制御部は、前記第一の呼び登録がある場合、当該第一の呼び登録にしたがい前記乗りかごを移動させる一方、前記第一の呼び登録が未登録であり休止中の移動可能な前記乗りかごが存在する場合、前記第二の呼び登録にしたがい、休止中の前記乗りかごを前記指定の時刻に前記指定の乗り場に移動させ、前記第一の表示装置は、前記第二の呼び登録にしたがい前記乗りかごが前記指定の時刻に前記指定の乗り場に待機状態で停止しているか否か、前記第一の呼び登録によって前記第二の呼び登録が無効になったか否か、の少なくとも一つを表示している。【０００３】
特許文献２には、マンションやアパート、ビル等の建築物のエントランス入口に設けられた自動ドアを遠隔操作により開くことができる自動ドアの開錠装置が開示されている。具体的には、検知エリア内に物体の存在を検知すると自動ドアを開くための作動信号を送信する検知センサを起動させる自動ドアの開錠装置であって、前記検知センサの検知エリア内まで移動する遮蔽板と、前記遮蔽板を支持し、前記遮蔽板を移動するための駆動機構を有する本体部と、前記自動ドアの開錠を指示する開錠指示信号を受信すると、前記駆動機構に前記遮蔽板を移動するよう指示する制御部とを備えている。
【先行技術文献】
【特許文献】
【０００４】
【特許文献１】特許第６１９５３９０号公報
【特許文献１】特許第６０４４９１７号公報
【発明の開示】
【発明が解決しようとする課題】
【０００５】
しかし、特許文献１に開示されているエレベータ制御システムは、乗りかごが指定時刻に指定の乗り場に待機状態で停止しているか否かの表示などを行うものであるが、乗りかごの停止階を示す情報をユーザに報知してはいない。このため、ユーザがエレベータを呼び出すタイミングの自由度がない。【０００６】
たとえば、同じ乗りかごに他人と同乗することを好まないユーザであれば、他人が同乗する可能性が低いと思われる情報、例えば、自身が現在いる階又はこれに近い階にエレベータが停止していることを知りたいはずであろうが、特許文献１に開示されているエレベータ制御システムは、このようなユーザの要求には応じられるものではない。【０００７】
そこで、本発明は、ユーザにエレベータを呼び出すタイミングの自由度を付与することを課題の一つとする。【０００８】
また、特許文献２に開示されている自動ドアの開錠装置は、検知センサの検知エリア内まで移動する遮蔽板と、この遮蔽板を移動するための駆動機構を有する本体部と、この遮蔽板を移動するよう指示する制御部とを備えているため、装置が大掛かりとなる。【０００９】
特に、通常、自動ドアの開錠装置は、ドア上部に取り付けられるため、清掃も面倒であるので小型化したいという要望があり、また、万が一の取付部品又は開錠装置自体の破損・故障などによって開錠装置又はその一部が落下する可能性があることなどを考慮すると開錠装置を小型化したい。そして、遮蔽板、本体部、制御部などの部品点数を減らせれば、そもそも、開錠装置又はその一部の落下の可能性を低下することができる。【００１０】
そこで、本発明は、装置の構成を抜本的に変更して、なおかつ、特許文献２のものと同等以上の効果を得られるようにすることを課題の一つとする。
【課題を解決するための手段】
【００１１】
上記課題を解決するために、本発明の遠隔制御システムは、
乗りかごが昇降中であるか停止中であるかを判別する判別手段と、
前記乗りかごの現在の所在階を特定する特定手段と、
前記乗りかごの呼出要求を受信する受信手段と、
前記受信手段によって受信された呼出要求に応じて前記乗りかごを呼出階に移動させる移動手段と、
を備える。【００１２】
また、前記判別手段によって判別された情報と前記特定手段によって特定された所在階を示す情報とに基づいて前記移動手段によって前記乗りかごを呼出階に移動させる時期を制御する制御手段を備えてもよい。さらに、前記判別手段に対して前記判別を要求する要求手段と、前記送信手段によって送信された情報を報知する報知手段とを有する遠隔制御装置を備えることができる。この遠隔制御装置は、携帯電話機、ＰＤＡ、スマートフォン、タブレット、パーソナルコンピュータなどとすることができるし、例えば、ユーザの自宅の玄関・廊下・リビングなどに据置可能な専用端末又は当該機能を実現可能なソフトウェア等を組み込むことでインターフォン端末を用いて実現してもよい。【００１３】
前記判別手段及び前記特定手段は、エレベータ内外いずれかに設けられている表示部を撮像する撮像手段としてもよく、また、前記移動手段は、前記表示部に付帯する呼出を指示する指示手段としてもよい。そして、撮像手段と指示手段とはユニット化することもできる。【００１４】
また、エレベータホールの近傍に人感センサを備え、前記人感センサによって人間の到来が検知された場合に前記乗りかごのドアを開状態にしてもよい。特に、前記判別手段によって前記乗りかごが停止中であると判別され、かつ、前記特定手段によって特定される前記乗りかごの現在の所在階がユーザによる当該乗りかごの呼出階である場合に、前記乗りかごのドアを開状態にするとよいし、開状態にした後にユーザが乗りかごに乗らずに所定期間が経過して前記ドアが閉状態になった後に、前記人感センサによって人間の到来が検知された場合に前記乗りかごのドアを開状態にしてもよい。【００１５】
前記指示手段をオン状態にしてから一定時間内はオフ状態に切り替える切替手段を備えることもできる。こうすると、ユーザが遠隔制御装置を濫用すること抑止できるため、他の利用者の利便性低下を防ぐことが可能となる。【００１６】
また、本発明の遠隔制御装置は、上記の遠隔制御システムに用いられ、前記判別手段に対して前記判別を指示する指示手段と、
前記送信手段によって送信された情報を報知する報知手段と、を有する。【００１７】
さらに、ユーザによるジェスチャーを検知する検知手段と、前記検知手段によって検知されたジェスチャーと事前に登録されている前記呼出要求を示すデータとを対比する対比手段と、前記対比手段によって前記ジェスチャーが前記呼出要求を示すデータに対応する場合に前記乗りかごの呼出要求を行う要求手段とを備えることも一法である。【００１８】
また、ユーザに対して、判別手段による判別結果及び／又は特定手段による特定結果を報知する報知手段を備えてもよい。更には、報知手段によって、当該判別結果及び／又は特定結果とともに、又は、これに代えて、例えば、生活情報又は広告情報など、ユーザに報知したい各種情報を報知してもよい。【００１９】
遠隔制御システム本体の利用ログが利用時刻を示す情報とともに格納される格納媒体を備えることも一法である。【００２０】
また、上記課題を解決するために、本発明の遠隔制御システムは、
自動ドアの開錠の契機となる検知エリアでの物体の変化を検知する検知手段と、
前記検知エリアに配置される物体と、
遠隔地から送信される自動ドアの開錠指示信号を受信する受信手段と、
前記受信手段によって開錠指示信号が受信された場合に前記物体を変化させる制御手段と、
を備える。【００２１】
前記物体の変化には、光波、電波又は音波の物理量を変化させることを含んでもよい。具体的には、光波等の波長、振幅、波形、出射方向のいずれかなどを変化させることなどが含まれる。
【図面の簡単な説明】
【００２２】
【図１】本発明１の実施形態の遠隔制御システムの説明図である。
【図２】図１に示す制御ユニット２００との間で通信を行う遠隔制御装置３００の説        明図である。
【図３】集合住宅の自動ドアに付帯して設置される自動ドア開錠制御装置４２０を備える遠隔制御システムの模式的な構成図である。
【図４】図３に示す自動ドア開錠制御装置４２０の模式的な内部構成を示すブロック図である。
【符号の説明】
【００２３】
１００  表示パネル
１１０  表示部
１２０  操作部
１３０，１４０  呼びボタン
２００  制御ユニット
２１０  カバー
２２０  取付部
２３０  信号線
２４０  撮像部
２５０  取付部
３００  遠隔制御装置
３１０  本体
３２０  表示部
３３０  ホームボタン
４１０  検知手段
４２０  自動ドア開錠制御装置
４３０  左ドア
４４０  右ドア
５１０  受信手段
５２０  制御手段
【発明の実施の形態】
【００２４】
以下、本発明の実施形態について、図面を参照して説明する。
【００２５】
（実施形態１）
図１は、本発明１の実施形態の遠隔制御システムの説明図である。図１（ａ）には、各階のエレベータホールに設置される表示パネル１００を示している。図１（ｂ）には、図１（ａ）の表示パネル１００に取り付けられた制御ユニット２００を示している。
【００２６】
図１（ａ）に示すように、表示パネル１００は、図示しない乗りかごが昇降中であるか停止中であるかを示すとともに乗りかごが現在位置する所在階を示す表示部１１０と、表示部１１０に付帯する操作部１２０と、操作部１２０に設けられている乗りかごの呼びボタン１３０，１４０とを備えている。ここでは、表示部１１０に、乗りかごが「上昇中」であること、乗りかごの所在階が「５階」である場合が例示されている。
【００２７】
図１（ｂ）に示すように、制御ユニット２００は、操作部１２０の一部を覆うとともに、呼びボタン１３０，１４０の押下手段を有するカバー２１０と、制御ユニット２００本体を表示パネル１００の近傍に取り付けるための取付部２２０と、表示部１１０を撮像する撮像部２４０と、撮像部２４０によって撮像された画像信号が通る信号線２３０と、撮像部２４０を表示パネル１００の近傍に取り付けるための取付部２５０と、を備えている。
【００２８】
なお、カバー２１０の裏面には、信号線２３０を通る画像信号に基づく情報を生成したり、生成した情報を遠隔制御装置３００（図２）に送信したり、この情報に基づいて遠隔制御装置３００から送信される乗りかごの呼出要求を受信したり、受信した呼出要求に応じて呼びボタン１３０，１４０のいずれかをいつ押下するかといった判断処理などを行う制御部が設けられている。
【００２９】
もっとも、制御部は、制御ユニット２００の一部として設けることが必須はなく、制御ユニット２００とは別個に設けてもよい。例えば、制御部は、図示しない管理センターなどに設けて、制御ユニット２００から有線又は無線によって制御ユニット２００と接続することが考えられる。
【００３０】
また、制御ユニット２００は、表示パネル１００に取り付けるのではなく、乗りかご内の操作盤に取り付けてもよい。この場合、制御ユニット２００は、呼出階ボタンを押下して乗りかごを移動させることになる。したがって、制御ユニット２００は、呼出階ボタン間を移動可能な移動手段を設けることになる。こうすると、各階の表示パネル１００毎に制御ユニット２００を設ける必要がなくなるという利点がある。
【００３１】
また、図１に示す表示パネル１００の操作部１２０は、再下階ではボタン１４０が存在せず、最上階ではボタン１３０が存在しないことが通例である。また、再下階を除く階においても、ボタン１３０を必ずしも設けなくてもよい。
【００３２】
また、図１には、ハードウェア的に制御ユニット２００を実現する例を示しているが、ソフトウェア的に制御ユニット２００を実現することもできる。例えば、図１（ａ）に示す表示部１１０に対して、「↑」「５」という情報が表示されるということは、換言すると、これらの情報は乗りかごに設けられている、多くの場合には制御盤内に設けられている既存の制御部では、乗りかごが上昇中であること、現在の乗りかごの所在階が５階であることを把握しているので、この種の情報を直接、遠隔制御装置３００に送信することもできる。
【００３３】
換言すると、既存のエレベータ設備のプログラム、情報の送信先などを何ら変更することなくそのまま使用する場合に、図１（ｂ）に示すような制御ユニット２００を採用すれば好適である。一方、既存のエレベータ設備のプログラムを変更可能である場合には、制御ユニット２００自体の採用に代えて、制御ユニット２００の処理と同様の処理をするようにプログラム等を変更すればよいということになる。
【００３４】
図２は、図１に示す制御ユニット２００との間で通信を行う遠隔制御装置３００の説明図である。図２には、遠隔制御装置３００の例として、これをスマートフォンによって実現する例を示しているが、スマートフォンのみならず、携帯電話機、ＰＤＡ、タブレット、パーソナルコンピュータなどによって実現することもできるし、例えば、ユーザの自宅の玄関・廊下・リビングなどに据置可能な専用端末又は当該機能を実現可能なソフトウェア等を組み込むことでインターフォン端末を用いて実現することもできる。
【００３５】
図２に示すように、遠隔制御装置３００は、本体３１０と、本体３１０の前面に設けられた表示部３２０と、表示部３２０に隣接して設けられているホームボタン３３０とを備えている。
【００３６】
ここでは、表示部３２０に、乗りかごが昇降中であるか停止中であるかを示す乗りかごの「稼働情報」と、乗りかごの現在の「所在階数」と、乗りかごの到着までの「推定時間」と、乗りかごを呼出したい場合に押下する「呼出」ボタンとを示している。なお、これらの全ての情報を表示部３２０に表示することは必須ではないし、また、これら以外の情報を表示部３２０に表示することも可能である。一例をあげると、昨今需要がある「見える化」の要請に応じて「呼出階」などを表示部３２０に表示することも可能であるし、生活情報又は広告情報など、ユーザに報知したい各種情報を表示することも可能である。
【００３７】
これらのうち、「稼働情報」、「所在階数」、「推定時間」といった各情報は、制御ユニット２００の制御部によって生成され、インターネット網、電話網などの無線回線を介して、当該制御部から遠隔制御装置３００に対して送信される。
【００３８】
図２では、表示部に、「稼働情報」として「上昇中」であること、「所在階数」として「５階」であること、「推定時間」として「２５秒」であること、の例が示されている。なお、「稼働情報」としては、実際の乗りかごの振る舞いに応じて、「上昇中」のほかに「下降中」又は「停止中」であることが通常であれば表示される。
【００３９】
なお、これらの情報に代えて又はこれらの情報とともに、ユーザが呼出した乗りかごが自階へ到着する時刻が確定した場合の当該時刻情報、他のユーザが他階にて乗りかごの呼出を行ったことを示す情報を、表示部３２０に表示するなどしてユーザに報知してもよい。これらの情報の表示時間は、例えば５秒〜１０秒程度とすることができ、また、表示情報の種別については、ユーザが設定できるようにするとよい。
【００４０】
また、これに限定されるものではないが、遠隔制御装置３００としてスマートフォンを用いる場合には、図２に示すような画面が表示可能であること、後述する動作が実現可能であること、といった諸条件を備えるアプリケーションプログラムを作成して、それをサーバに保存しておき、これをユーザが適宜、サーバからダウンロードして、スマートフォンにインストールすることができるようにすればよい。
【００４１】
ところで、制御ユニット２００をソフトウェア的に実現する場合には問題は生じないが、ハードウェア的に実現する場合には、図１に示す表示パネル１００及び制御ユニット２００が、各階のエレベータホールに設置されるところ、遠隔制御装置３００が、各階のエレベータホールに設けられているいずれの制御ユニット２００との間で通信を行うかという点については問題がある。
【００４２】
本実施形態では、例えば、通信のコリジョン問題が発生することを回避するために、全ての制御ユニット２００のうち、例えば、１階に設置されている制御ユニット２００をマスターとして、この制御ユニット２００のみが、遠隔制御装置３００と通信を行うようにしている。この場合、他階に設置されている制御ユニット２００はスレーブとして、マスターを通じてなされる遠隔制御装置３００からの呼出要求に応じて呼出要求に応じることになる。
【００４３】
さらに、マスターの制御ユニット２００と遠隔制御装置３００とが直接通信するのではなく、本実施形態の遠隔制御システムの管理サーバなどを介して間接通信をするようにしてもよい。
【００４４】
つづいて、図１及び図２を参照して、本実施形態の遠隔制御システムの動作について説明する。まず、ユーザは、上記のように、本実施形態の遠隔制御システムを利用するために、所望のアプリケーションプログラムを、遠隔制御装置３００であるスマートフォンにインストールしておく。
【００４５】
そして、ユーザは、このアプリケーションプログラムに対して、少なくとも、自己が所有しているマンションを特定する情報と、呼出希望階を示す情報とを登録する。呼出希望階は、通常、ユーザの自室のある階、すなわち、自宅階となろう。
【００４６】
この状態で、例えば、マンションの自室にいるユーザが、本実施形態の遠隔制御システムを利用して乗りかごを呼出するために、当該アプリケーションプログラムを起動すると、図２に示すような画面が、表示部３２０に表示される。
【００４７】
この表示を行うために、制御ユニット２００では、撮像部２４０によって表示部１１０を撮像し、その撮像した画像信号を信号線２３０を介して制御部に出力する。制御部では、この画像信号から画像解析等を行って、乗りかごが昇降中であるか停止中であるかを判別するとともに、乗りかごの停止階を特定する。
【００４８】
なお、撮像部２４０は、カメラなどを用いて、その撮像画像を制御部に出力することとしてもよいし、乗りかご内外の階数及び／又は昇降方向表示パネルが例えば７セグメントディスプレイ、昇りを示す△表示部又は↑表示部、降りを示す▽表示部又は↓表示部であれば、適宜それらの少なくとも一部に対応する位置に複数のフォトダイオードを含む受光素子又は光検出器を設けて、そのセンシング結果を制御部に出力することとしてもよい。
【００４９】
すなわち、制御部は、乗りかごが昇降中であれば、昇降中である乗りかごの現在の階数を示す情報を取得し、乗りかごが停止中であれば、停止中の乗りかごの現在の階数を示す情報を取得することになる。
【００５０】
その後、制御部は、乗りかごが昇降中であるか停止中であるかを示す情報と所在階を示す情報とを、無線回線を通じて遠隔制御装置３００に送信する。この結果、上記のように、遠隔制御装置３００では、図２に示すような画面が、表示部３２０に表示されることになる。
【００５１】
図２に示す例では、乗りかごは「上昇中」であるが、仮に他人が既に乗りかごに乗っている場合には、やがて当該他人の行先階に乗りかごが到達したら、「上昇中」から「停止中」に移行することになるし、仮に他人が乗りかごを呼出していた場合には、更に「停止中」から「下降中」に移行することになるであろう。
【００５２】
本実施形態の場合には、他人が既に乗りかごに乗っているのか、他人が乗りかごを呼出していたのか、についての判別は行っていないので、仮に、遠隔制御装置３００のユーザが、同じ乗りかごに他人と同乗することを好まないのであれば、「停止中」から「下降中」に移行しないことを確認した後に、遠隔制御装置３００を操作することによって、呼出ボタンを押下（タップ）することによって、乗りかごの呼出を行えばよい。
【００５３】
実際に、ユーザが、いずれかのタイミングで呼出ボタンを押下すると、スマートフォンが有する送信手段によって、乗りかごの呼出要求が制御ユニット２００に向けて送信される。一例としては、既述のアプリケーションプログラムが呼出希望階を示す情報を、その送信に先立って付加することが考えられる。
【００５４】
また、ユーザが「稼働情報」等に基づいて乗りかごの呼出要求を強いるのではなく、ユーザが乗りかごの呼出要求したときに、これを契機として、判別手段によって乗りかごが昇降中であるか停止中であるかを判別し、昇降中であると判別された場合には、特定手段によって乗りかごの現在の所在階を特定するとともに、ユーザによる呼出階を検知すれば、システム側で乗りかごの移動時期の制御を行うことが可能となる。
【００５５】
ここで、通常、ユーザは、自宅から出かける際であれば自宅から乗りかごを呼出するであろうし、帰宅の際であればエントランスなどのある例えば１階から乗りかごを呼出するであろうと考えられる。そうすると、ユーザの呼出階と、乗りかごが昇降中であるか停止中であるという状態との組み合わせは、通常であれば、以下のようになることが大半である。
【００５６】
すなわち、
（１）ユーザによる呼出階が１階であって、かつ、乗りかごが上昇中の場合、
（２）ユーザによる呼出階が１階であって、かつ、乗りかごが下降中の場合、
（３）ユーザによる呼出階が１階であって、かつ、乗りかごが停止中の場合、
（４）ユーザによる呼出階が自宅階であって、かつ、乗りかごが上昇中の場合、
（５）ユーザによる呼出階が自宅階であって、かつ、乗りかごが下降中の場合、
（６）ユーザによる呼出階が自宅階であって、かつ、乗りかごが停止中の場合、
のいずれかとなる。
【００５７】
そこで、ユーザが乗りかごを呼出要求したときの当該呼出階を検知するか、簡便に済ますために、当該呼出階が１階であるか否かを検知して、（１）〜（６）のいずれの場合であるかを特定して、システム側で乗りかごの移動制御を行うとよい。
【００５８】
呼出階の検知手法については、例えば、ユーザが「呼出」ボタンを押下した場合に、遠隔制御装置３００が自装置に登録されている自宅階を示す情報を付加して送信するという手法を採用するだけで実現することが可能である。ただし、後述するように、制御ユニット２００が呼出要求を受けたタイミングで管理サーバなどに問合せすることで取得してもよい。
【００５９】
（１）の場合には、仮に、既に他人を乗せた乗りかごが上昇中であれば、当該他人はその自宅階で降りることが想定される。したがって、当該他人がその自宅階で乗りかごから降りなかったというレアケースを除けば、当該他人と乗りかごにユーザが同乗する可能性はないので、ユーザによる乗りかごの呼出要求を受け付けて、相対的に早いタイミングで乗りかごを１階に移動させる。
【００６０】
（２）の場合には、通常、既に他人を乗せた乗りかごが下降中である、又は、乗りかごが１階に到着するまでに他人による呼出階で停止して当該他人を乗せることが考えられる。この場合にも、当該他人がその１階で乗りかごから降りなかったというレアケースを除けば、すぐに乗りかごの呼出要求を受けて乗りかごを１階に移動させても、当該他人と乗りかごに同乗する可能性はないので、ユーザによる乗りかごの呼出要求を受け付けて、相対的に早いタイミングで乗りかごを１階に移動させる。
【００６１】
なお、（１）・（２）のいずれの場合にも、別の他人が既に１階のエレベータホール前で乗りかごの到着待ちをしているのであれば、ユーザは到着した乗りかごに乗らないという選択をすることができるので、当該別の他人と乗りかごに同乗することを好まないのであれば、乗りかごに乗るということを回避することが可能となる。
【００６２】
（３）の場合には、乗りかごが１階に到着してから上昇するまでの短期間に、他人が１階のエレベータホールに到来しなければ、乗りかごの呼出要求を受けて、相対的に早いタイミングで乗りかごを１階に移動させても、当該他人と乗りかごに同乗する可能性はない。したがって、この場合には、ユーザによる乗りかごの呼出要求を受け付けて、相対的に早いタイミングで乗りかごを１階に移動させる。
【００６３】
（４）の場合には、通常、既に他人を乗せた乗りかごが上昇中である、又は、他人を乗せるために当該他人の自宅階に向けて乗りかごが上昇中であると考えられる。そして、これらいずれの場合であっても、上昇中の乗りかごは、その後、ユーザの呼出階に対して上階／同階／下階のいずれかで停止する。
【００６４】
前者であれば、通常、当該他人は自宅階で降りることが想定されるので、別の他人がユーザよりも先に乗りかごを呼出していなければ、その階で停止したままとなろう。この場合には、判別手段によって乗りかごが停止中であると判別されるので、ユーザによる乗りかごの呼出要求を受け付けて、相対的に早いタイミングで乗りかごを呼出階に移動させる。
【００６５】
一方、別の他人がユーザよりも先に乗りかごを既に呼出している場合には、乗りかごは停止後すぐに当該別の他人による呼出階に移動することになるので、判別手段によって乗りかごが昇降中であると判別される。この場合には、ユーザによる乗りかごの呼出要求を受け付けて、相対的に早いタイミングで乗りかごを移動させると、乗りかごに他人と同乗する可能性があるので、そうすることなく、例えば１分後などに、再度、乗りかごの他人による呼出の有無などを検知して、当該呼出がなければ、乗りかごをユーザの呼出階に移動させる。
【００６６】
後者であれば、通常、その後に、他人を乗せた乗りかごが１階に向けて下降するため、判別手段によって乗りかごが昇降中であると判別される。したがって、乗りかごへの他人との同乗を回避するために、ユーザによる乗りかごの呼出要求を受け付けても、相対的に早いタイミングで乗りかごを移動させず、例えば１分後などに、再度、乗りかごの他人による呼出の有無などを検知して、乗りかごをユーザの呼出階に移動させる。
【００６７】
ここで、乗りかご内に人感センサを設けて昇降中の乗りかご内の人の有無を検出することもできる。そうすると、他人を乗せるために乗りかごが昇降中であるのか、既に他人を乗せた乗りかごが昇降中であるのかを判別することができる。
【００６８】
例えば、ユーザが外出しようとして乗りかごを呼出した際に乗りかごが上昇中であって、乗りかごに他のユーザが乗っていることが検出されたのであれば、当該他のユーザは帰宅者である可能性が高いので、相対的に早いタイミングで乗りかごを移動させることが可能になる。
【００６９】
（５）の場合には、通常、１階に他人を乗せるために乗りかごが下降中である、又は、既に他人を乗せた乗りかごが１階に下降中であるということになる。この際、特定手段によって特定される乗りかごの現在の所在階が、ユーザの呼出階よりも上階であれば、前者の場合、誰も乗りかごに乗っていないので、ユーザによる乗りかごの呼出要求を受け付けて、相対的に早いタイミングで乗りかごを呼出階に移動させる一方で、後者の場合、又は、特定手段によって特定される乗りかごの現在の所在階がユーザの呼出階に対して同階或いは下階であれば、既に他人が乗りかごに乗っている、又は、同階或いは下階で他人が乗りかごに乗ると考えられるので、例えば１分後などに、再度、乗りかごの他人による呼出の有無などを検知して、当該呼出がなければ乗りかごをユーザの呼出階に移動させる。
【００７０】
また、後者の場合、１階に到着した乗りかごから他人が下りると考えられるので、その後に、偶然、別の他人が１回のエレベータホールで待っている場合でも、当該別の他人は自身の自宅階で降りることになると考えられるので、ユーザによる乗りかごの呼出要求を受け付けて、相対的に早いタイミングで乗りかごを呼出階に移動させる。
【００７１】
上記のように、乗りかご内に人感センサを設ける場合には、実際に乗りかごに他のユーザが乗っているか否かを検出することが可能になるので、とりわけ、特定手段によって特定される乗りかごの現在の所在階が、ユーザの呼出階よりも上階であれば、乗りかごに誰も乗っていない場合には、ユーザの呼出階で乗りかごを停止させることができる。
【００７２】
（６）の場合には、停止階が、自宅階に対して同階の場合と、自宅階に対して上階／下階の場合とに大別される。前者の場合、［ａ］同階に居住している他人がこれから乗りかごに乗ろうとして先に呼出して待機している場合と、［ｂ］同階に居住している他人が既に他階から同階に到着して乗りかごから降りたまま待機している場合とが考えられる。数分以内の同階での呼出履歴の有無を確認すれば、同階での呼出があれば［ａ］、同階での呼出がなければ［ｂ］ということがわかる。一方、後者の場合には、誰も乗りかごに乗っていないので、ユーザによる乗りかごの呼出要求を受け付けて、相対的に早いタイミングで乗りかごを呼出階に移動させればよい。
【００７３】
なお、例えば、エレベータホールと自宅との距離が相対的に長い場合、通勤・通宅時間帯などのように乗りかごの呼出時の呼出頻度が高い時間帯である場合には、ユーザが自宅で乗りかごを呼出してからユーザが乗りかごに乗るまでに、他人も乗りかごを呼出する場合もある。
【００７４】
つまり、ユーザが自宅階で乗りかごの呼出要求を行ってから、実際に乗りかごが自宅階に到着するまでの間などに、他人も自身の自宅階から偶然に乗りかごの呼出要求を行う場合が想定される。この場合には、他人の呼出要求に対して、上記のように、例えば１分後などに、再度、乗りかごの別の他人による呼出の有無などを検知して、当該呼出がなければ乗りかごをユーザの呼出階に移動させればよい。
【００７５】
つまり、この例では、先に行った呼出要求を優先させて乗りかごの移動を制御している。さらに、この場合に、当該他人が乗りかごの呼出要求をしたにもかかわらず、乗りかごが呼出されないことによってエレベータの故障を疑うことがないように、先に別人が呼出要求を行った旨の情報を送信することも一法である。
【００７６】
また、ユーザフレンドリーの観点から、以下のようないくつかの制御を行うことも一法である。すなわち、理解容易のために概要を先に説明すると、１つ目は、ホテルなどの宿泊施設におけるドアマンのような振る舞いをさせるというものである。具体的には、乗りかごを呼出したユーザがエレベータホールに到着する前に乗りかごが呼出階に到着し、乗りかごのドアが一度、開状態となったものの、ユーザが乗りかごに乗り込む前にドアが閉状態となった場合に、その後、ユーザがエレベータホールに近づいた場合に、あたかもドアマンが乗りかごのドアを開状態とするために、呼びボタン１３０又は呼びボタン１４０を押下してくれるかのように、乗りかごのドアを再度開状態とするという振る舞いを行う。
【００７７】
このためには、乗りかご内又はエレベータホールの近傍に、赤外線センサなどの人感センサを備え、この人感センサによって人間の到来が検知された場合に乗りかごのドアを開状態とすればよい。もっとも、せっかく人感センサを備えたのだから、乗りかごを呼出したユーザがエレベータホールに到着する前に乗りかごが呼出階に到着しても、ユーザがエレベータホールに近づくまでは、乗りかごのドアを閉状態のままにしておいてもよい。これは、無駄に電気を消費することを回避できるというエコロジーの観点から好ましいことはもとより、ユーザに対してよりドアマンのような振る舞いを提供することができるという利点もある。
或いは、乗りかご内又はエレベータホールの近傍にビーコンを備え、ユーザが携帯しているスマートフォンから発信される電波をビーコンが受信した場合に、乗りかごのドアを開状態としてもよい。
【００７８】
ところで、ホテルなどの宿泊施設のエレベータには、セキュリティ対策等の観点から、１階でカードキーを乗りかごのドア近傍に設けられているセンサに翳すなどしないと、エレベータの乗りかごのドアが開かなかったり、乗りかごのドアが開いても１階でカードキーを乗りかご内に設けられているセンサに翳すなどしないと、行先階ボタンを押下しても反応しなかったりするカードロックシステムが採用されているものがある。
【００７９】
近年、同様のシステムが、マンションでも導入されつつある。この場合にもドアマンのような振る舞いをさせられるようにするにはひと工夫必要である。前者の場合、例えば、乗りかご内に制御ユニット２００を設けておき、ユーザが１階から乗りかごに乗ろうとする際に、制御ユニット２００が１階ボタンを押下することで、乗りかごをドアを開状態にすればよい。或いは、乗りかごが呼出階へ到着後は、開ボタンを押下することで乗りかごのドアを開状態にすればよい。後者の場合、乗りかごのドアを開状態にするためにはセキュリティチェック自体は不要であるので、上記と同じ要領で乗りかごのドアを開状態にすればよい。
【００８０】
同様の観点から、例えば、マンションにおけるエレベータの場合には、ユーザが所有する鍵にＧＰＳなどの位置検知センサを設けておき、ユーザが帰宅時などマンション近くに到来したことを検知した場合には、エレベータを１階などエントランス階まで呼出し、待機させることも一法である。このためには、１階に設置されている制御ユニット２００が、呼出要求とともに受信したユーザの自宅階を示す情報に基づいて、当該自宅階の制御ユニット２００に対して、呼びボタン１３０，１４０の押下するように指示すればよい。
【００８１】
２つ目は、デパートなどの商業施設におけるエレベータガールのような振る舞いをさせるというものである。具体的には、呼出要求を行ったユーザが乗りかごに乗ると、あたかもエレベータガールが行先階ボタンを押下してくれるかのような制御を行う。すなわち、ユーザが行き先階ボタンを能動的に押さなくても、予め登録されている自宅階又は１階に向けて移動させるという自動行先階制御である。
【００８２】
これを実現するためには、ユーザが「呼出」ボタンを押下したことを遠隔制御装置３００が検知すると、遠隔制御装置３００は、自装置に登録されている自宅階を示す情報を付加して送信する。これは、通常、ユーザが現在いる階に設置されている制御ユニット２００が受信することになろう。
【００８３】
仮に、ユーザが１階にいる場合に「呼出」ボタンを押下すると、通常、無線回線の電波強度の強さを考慮すると、１階に設置されている制御ユニット２００が受信することになろう。したがって、１階に設置されている制御ユニット２００が、呼出要求とともに受信したユーザの自宅階を示す情報に基づいて、乗りかごの行先を指示するなどの制御をすればよい。
【００８４】
図１に示すように、制御ユニット２００をハードウェア的に実現する場合には、乗りかごにユーザが乗った後に、１階に設置されている制御ユニット２００が、呼出要求とともに受信したユーザの自宅階を示す情報に基づいて、当該自宅階の制御ユニット２００に対して、呼びボタン１３０，１４０の押下するように指示すればよい。
【００８５】
ただ、この場合には、通常、乗りかご内に行先階のインジケータが表示しないので、ユーザに対して乗りかごが自宅階に向かっていることを報知するために、乗りかご内に制御ユニット２００を設けている場合には、制御ユニット２００に行先階を表示する表示部を設けるとよい。乗りかご内に制御ユニット２００を設けていない場合には、スマートフォンのアプリケーションプログラムを通じて行先階をスマートフォンのディスプレイに表示したり、スマートフォンのマイクロフォンから音声出力したり、スマートフォン自体を振動させたりすることで報知するとよい。
【００８６】
なお、制御ユニット２００は、乗りかごにユーザが乗ったことを確認した場合には、ユーザが閉ボタンを押下した場合と同様の制御を、制御ユニット２００で行うことで、早閉めを実現してもよい。
【００８７】
もっとも、例えば、５階が自室階であるユーザが、３階に自室がある友人宅に訪問するといった場合もあろう。したがって、このような場合に対応できるように、ユーザが乗りかご内で３階ボタンを押下した場合には、乗りかごを３階まで移動してから停止させて、ドアを開状態とするとよい。
【００８８】
３つ目は、エレベータの扉を早閉めすることである。乗りかごに乗っていた全てのユーザが乗りかごから降りたにもかかわらず、一定期間、不可避的にエレベータの扉が閉まらないという制御がされることが通例である。しかし、このような制御は、ユーザに対して無駄な待ち時間と与えることになり、ユーザの不満にもつながるので対策を講じることが必要である。一方で、特に１階では他階の場合に比して、下降中の乗りかごの到来を待機する人が居る場合が多く想定され、その場合には、乗りかごに新たに乗り込むユーザがいる場合が多いので、その点は考慮する必要はある。
【００８９】
このような実情を考慮して、例えば、乗りかごに重量センサを設けて置き、ユーザが乗りかごが降りたことを重量センサのセンシング結果によって検知した場合に、その後１秒程度経過しても重量センサのセンシング結果に別のユーザが乗り込んでいたならば生じるであろう変化が見られない場合には、その後に、扉が閉じるまでに他のユーザが乗りかごに乗り込むことは稀であるといえるので、早閉めを行えばよい。また、重量センサに代えて、乗りかご内に撮像手段を設けて、その撮像結果に基づいて早閉めを行ったり、扉の近傍に赤外線センサ又は光電変換センサなどを設けて、当該センサの出力結果に基づいて早閉めを実現したりしてもよい。
【００９０】
さらに、遠隔制御装置３００がユーザの自宅の玄関・廊下・リビングなどに据置可能な専用端末等の場合には、ユーザによるジェスチャーを検知する検知手段と、前記検知手段によって検知されたジェスチャーと事前に登録されている前記呼出要求を示すデータとを対比する対比手段と、前記対比手段によって前記ジェスチャーが前記呼出要求を示すデー  タに対応する場合に前記乗りかごの呼出要求を行う要求手段とを備えることも一法である。これらを備えると、ユーザの両手がふさがっていて、呼出ボタンを押下しにくい状況でも、呼出要求を行うことができるという利点がある。乗りかごの呼出要求を行う場合のジェスチャーの一例としては、玄関先におかれている鍵をとる、靴を履く、靴べらを取る、下駄箱の扉を開けるなどが挙げられる。したがって、この場合には、これらのいずれかのジェスチャーがされた場合に、遠隔制御装置３００が乗りかごの呼出を行えるようになる。
【００９１】
なお、遠隔制御システム本体の利用ログが利用時刻を示す情報とともに格納される格納媒体を備えてもよい。これにより、ユーザのエレベータの利用状況が把握できるビッグデータを取得することが可能となるし、ユーザが本システムによるサービス利用の開始／終了の管理も容易となる。
【００９２】
なお、制御ユニット２００は、予め、本実施形態の遠隔制御システムの管理サーバなどに呼出希望階を示す情報をスマートフォンから送信しておき、呼出要求を受けたタイミングで管理サーバなどに問合せすることで取得してもよいし、他の方法によって取得してもよい。
【００９３】
（実施形態２）
図３は、集合住宅の自動ドアに付帯して設置される自動ドア開錠制御装置４２０を備える遠隔制御システムの模式的な構成図である。図３には、自動ドアの一部を構成する左ドア４３０及び右ドア４４０と、自動ドアの開錠の契機となる検知エリアでの自動ドア開錠制御装置４２０の変化を検知する検知手段４１０と、検知手段４１０の検知エリア内に配置されていて図示しない遠隔制御装置によって自動ドアの外側から開錠指示がされた場合に変化する自動ドア開錠制御装置４２０とを示している。
【００９４】
図４は、図３に示す自動ドア開錠制御装置４２０の模式的な内部構成を示すブロック図である。自動ドア開錠制御装置４２０は、遠隔制御装置によって送信される自動ドアの開錠指示信号を受信する受信手段５１０と、受信手段５１０によって開錠指示信号が受信された場合に自動ドア開錠制御装置４２０本体を変化させる制御手段５２０とを備える。
【００９５】
ここで、本実施形態では、自動ドア開錠制御装置４２０が検知手段４１０の検知エリア内に配置されている点が特徴的であるので、この点について説明する。
【００９６】
まず、本実施形態に係る自動ドアは、検知手段４１０の検知エリア内に何らかの物体が侵入した場合、検知手段４１０は左ドア４３０及び右ドア４４０に付帯するモータを駆動するために検知信号を出力し、この結果、自動ドアは開錠され、左ドア４３０及び右ドア４４０は開状態となる。
【００９７】
通常、ユーザが自動ドアを通じて外に出ようとした場合には、ユーザが検知手段４１０の検知エリア内に侵入したことを契機に、自動ドアは開錠され、左ドア４３０及び右ドア４４０は開状態となり、その議に、ユーザが自動ドアを通じて外に出ると、当該ユーザが検知手段４１０の検知エリア外に移動するため、検知手段４１０の検知エリア内に動体がなくなるので、左ドア４３０及び右ドア４４０は閉状態となり、自動ドアは施錠される。
【００９８】
しかし、ユーザが検知手段４１０の検知エリア内に侵入した後に、検知エリア内で立ち話を始めるなどして数秒から数十秒といった一定時間静止していると、厳密には、検知手段４１０が検知エリア内に動体がないと判別されると、検知手段４１０は検知信号の出力を停止し、この結果、左ドア４３０及び右ドア４４０は閉状態となり、自動ドアは施錠される。もっとも、この場合でも、ユーザが検知エリア内で動けば、自動ドアは開錠され、左ドア４３０及び右ドア４４０は開状態となる。
【００９９】
本実施形態では、検知手段４１０の検知エリア内で通常時に静体として機能している自動ドア開錠制御装置４２０を、受信手段５１０によって開錠指示信号が受信された場合に、制御手段５２０によって自動ドア開錠制御装置４２０を動体として機能させるように変化させている。こうすると、自動ドアの外側にいるユーザの指示に従って、遠隔制御装置から開錠指示信号を送信すれば、ユーザは自動ドアをスムーズに通過することが可能となる。
【０１００】
自動ドア開錠制御装置４２０を動体として機能させるためには、自動ドア開錠制御装置４２０に対して例えば電気的な動力を与えて、位置を変位させることが考えられる。一例をあげると、自動ドア開錠制御装置４２０は、モータと、モータを駆動させる動力源と、モータに連結されている可動体とによって構成することができる。
【０１０１】
この他にも、検知手段４１０で受信する、光波、電波又は音波の物理量を変化させることも挙げられる。光波等の物理量を変化させるためには、波長、振幅、波形、出射方向のいずれかなどを変化させればよい。
【０１０２】
（実施形態３）
本実施形態では、ＥＣサイトなどを通じた宅配サービスなどを利用した際に、配達員によって行われる荷物の配送に好適な遠隔制御システムについて説明する。
【０１０３】
近年、その利便性などに鑑みて、宅配サービスの利用が増加しているが、必ずしも配送時にユーザが自宅にいるとは限らない。この場合、マンションに宅配ボックスが設置されていれば、配送員は、荷物を宅配ボックスに預けるということも可能となるが、そうでなければ、或いは、宅配ボックスがすべて使用中で埋まっていれば、再配達することを強いられる。
【０１０４】
また、ユーザが不在時でもユーザの自宅玄関前等、ユーザの指定する場所に荷物を置いていく置き配の利用も増えてきているが、オートロックが採用されているマンションにおいては、オートロックの解除を配達員が行うことに支障があり、ユーザの自宅玄関前まで配達員が到達することが困難であるため、置き配の普及は限定的である。
【０１０５】
荷物の再配達は、配送業者にとってはコストアップにつながるし、ドライバーにとっては労働条件の悪化につながるし、エコロジーの観点からも好ましくない。そこで、本実施形態の遠隔制御システムは、再配達を不要とするものである。 
【０１０６】
本実施形態の遠隔制御システムは、実施形態２等における遠隔制御装置として機能する配達員が持つスマートフォンと、このスマートフォンとの間でオートロックの開錠制御を実現するサーバと、を含む。このスマートフォンには、以下説明する動作を実現可能なアプリケーションソフトウェアをインストールしておくとともに、このアプリケーションソフトウェアを通じてサーバにアクセスしてオートロックの開錠要求を行うための認証に必要はログインＩＤ・パスワードなどの設定をしておく。もっとも、ここでいうスマートフォンは遠隔制御装置のハードウェアとしての一例であって、バーコードリーダ機能を有する専用端末を用いてもよい。
【０１０７】
また、荷物の集荷時に配送先・配送元などの情報を記載する配送伝票には、固有のＱＲコードなどの二次元バーコード或いは一次元バーコードを印字しておくとともに、サーバには当該ＱＲコード等に対応する情報と配送先を示す情報とを紐づけて格納しておく。さらに、サーバには、本実施形態の遠隔制御システムのユーザが所有する遠隔制御装置の情報を格納しておく。
【０１０８】
なお、本遠隔制御システムのユーザは、配送員が再配達することなく、自宅前に荷物を届けることに同意した者をいう。ユーザは、ＥＣサイトなどを通じて当該同意をしてもよいし、サーバに対して直接的に同意をしてもよい（実務的には、通常、本遠隔制御システムの管理者に対して、本遠隔制御システムの利用を同意し、当該管理者がサーバにユーザの情報を登録することになろう。）。
【０１０９】
つぎに、本実施形態の遠隔制御システムの動作について説明する。ここでは、配達員が荷物の配送をしようと荷物の配送先に伺った際に、本遠隔制御システムのユーザである受取人が不在であった場合を例に説明する。
【０１１０】
この場合には、配送員は、上記アプリケーションソフトウェアを起動させる。このアプリケーションソフトウェアは、スマートフォンに設けられているカメラソフトウェアを起動させる機能を備えている。このため、配達員がスマートフォンのカメラを通じて、上記ＱＲコード等を撮影することが可能となる。専用端末の場合には、そのバーコードリーダ機能によって上記ＱＲコード等を撮影することが可能となる。
【０１１１】
撮影されたＱＲコード等に対応する情報は、上記ログインＩＤとともに、スマートフォン又は専用端末の通信機能によって、サーバに対して、オートロックの開錠要求として送信される。サーバでは、ＱＲコード等に対応する情報等を受信すると、格納されている各種情報を参照して、照合の可否を判断する。
【０１１２】
したがって、配送者以外の者がなりすましなどによる不正にサーバにアクセスした場合、又は、配送者が正当にサーバにアクセスした場合であっても受取人が本遠隔制御システムのユーザでない場合（当該ユーザが自宅前に荷物を届けることに同意した者でない場合）には、不当な解除要求であるとみなして、以下説明するオートロックの開錠制御は行わない。
【０１１３】
この例では、オートロックの正当な開錠要求であると判断されるため、サーバから自動ドア開錠制御装置４２０等に対して、遠隔開錠制御がなされる。このため、配送者は、自動ドアを通って、受取人の自宅前まで進むことができ、荷物をそこに置くことが可能となる。なお、配送者からサーバへのオートロックの開錠要求がされると、サーバは、これに対応する情報にフラグをたてることとし、上記照合の際にフラグの有無を検知することにすれば、１回目の開錠要求にのみ応じるというワンタイム制御も可能となる。
【０１１４】
なお、本実施形態の遠隔制御システムは、 サーバから自動ドア開錠制御装置４２０等に対して、オートロックの遠隔開錠制御がなされる例について説明したが、遠隔開錠制御自体はこの手法に限定されるものではない。例えば、自動ドア開錠制御装置４２０等の種別にもよるが、来訪者が部屋番号を入力して呼出するタイプの自動ドア開錠制御装置の場合には、更なるセキュリティ強化のため、サーバから自動ドア開錠制御装置と配送者のスマートフォン等とに対して共通のパスコードを発行し、配送者に当該パスコードを自動ドア開錠制御装置に対して入力させ、自動ドア開錠制御装置において、サーバから送信されたパスコードと配送者から入力されるパスコードとが一致した場合にオートロックを開錠するという制御も可能である。
【０１１５】
以上説明したように、本発明の各実施形態の遠隔制御システムによれば、集合住宅などの大規模施設内又はその付近における、ユーザの利便性を高めることができる。
【図１】
2020022332.tif 000003
【図２】
2020022332.tif 000004
【図３】
2020022332.tif 000005
【図４】
2020022332.tif 000006
【国際調査報告】
2020022332.tif 000007
2020022332.tif 000008
2020022332.tif 000009
2020022332.tif 000010